(57)【要約】      （修正有）【課題】他のシステムと共有する周波数帯域を用いたセルを効率的に制御する基地局装置および方法を提供する。【解決手段】基地局装置は、ＰＤＳＣＨを送信する送信部と、前記ＰＤＳＣＨを送信する前にＣＣＡ（Clear Channel Assessment）を行うＣＣＡ実行部と、前記ＣＣＡのためのコンテンションウインドウサイズを設定するコンテンションウインドウサイズ設定部を備える。前記コンテンションウインドウサイズ設定部は、第１の要因に基づく第１のコンテンションウインドウサイズと、第２の要因に基づく第１のコンテンションウインドウサイズを比較し、大きいほうのコンテンションウインドウサイズを前記ＣＣＡのためのコンテンションウインドウサイズとして設定する。【選択図】図７
2017060092.tif 000002
【特許請求の範囲】
【請求項１】
基地局装置であって、
ＰＤＳＣＨを送信する送信部と、
前記ＰＤＳＣＨを送信する前にＣＣＡを行うＣＣＡ実行部と、
前記ＣＣＡのためのコンテンションウインドウサイズを設定するコンテンションウインドウサイズ設定部を備え、
前記コンテンションウインドウサイズ設定部は、第１の要因に基づく第１のコンテンションウインドウサイズと、第２の要因に基づく第１のコンテンションウインドウサイズを比較し、大きいほうのコンテンションウインドウサイズを前記ＣＣＡのためのコンテンションウインドウサイズとして設定する
ことを特徴とする基地局装置。
【請求項２】
前記第１の要因は、前記基地局装置が送信した前記ＰＤＳＣＨに対するＨＡＲＱ−ＡＣＫ／ＮＡＣＫ応答が検出されることであり、
前記第２の要因は、前記基地局装置のチャネル感知の結果ビジーが検出されることである
ことを特徴とする請求項１記載の基地局装置。
【請求項３】
基地局装置であって、
ＰＤＳＣＨを送信する送信部と、
前記ＰＤＳＣＨを送信する前にＣＣＡを行うＣＣＡ実行部と、
前記ＣＣＡのためのコンテンションウインドウサイズを設定するコンテンションウインドウサイズ設定部を備え、
前記コンテンションウインドウサイズ設定部は、第１の観測ウインドウにおいて観測される第１の要因に基づく第１のコンテンションウインドウサイズを前記ＣＣＡのためのコンテンションウインドウサイズとして設定し、
第２の観測ウインドウにおいて第２の要因が検出された場合、前記第２の要因に基づく第２のコンテンションウインドウサイズを前記ＣＣＡのためのコンテンションウインドウサイズとして設定する
ことを特徴とする基地局装置。
【請求項４】
前記第１の観測ウインドウは、前記基地局装置が送信した前記ＰＤＳＣＨに対するＨＡＲＱ−ＡＣＫ／ＮＡＣＫ応答を観測するための観測ウインドウであり、
前記第１の要因は、前記基地局装置が送信した前記ＰＤＳＣＨに対するＨＡＲＱ−ＡＣＫ／ＮＡＣＫ応答が検出されることであり、
前記第２の観測ウインドウは、前記基地局装置のチャネル感知のための観測ウインドウであり、
前記第２の要因は、前記基地局装置のチャネル感知の結果ビジーが検出されることである
ことを特徴とする請求項３記載の基地局装置。
【請求項５】
基地局装置における方法であって、
ＰＤＳＣＨを送信し、
前記ＰＤＳＣＨを送信する前にＣＣＡを行い、
前記ＣＣＡのためのコンテンションウインドウサイズを設定し、
前記コンテンションウインドウサイズは、第１の要因に基づく第１のコンテンションウインドウサイズと、第２の要因に基づく第１のコンテンションウインドウサイズを比較し、大きいほうのコンテンションウインドウサイズを前記ＣＣＡのためのコンテンションウインドウサイズとして設定する
ことを特徴とする方法。
【請求項６】
前記第１の要因は、前記基地局装置が送信した前記ＰＤＳＣＨに対するＨＡＲＱ−ＡＣＫ／ＮＡＣＫ応答が検出されることであり、
前記第２の要因は、前記基地局装置のチャネル感知の結果ビジーが検出されることである
ことを特徴とする請求項５記載の方法。
【請求項７】
基地局装置における方法であって、
ＰＤＳＣＨを送信し、
前記ＰＤＳＣＨを送信する前にＣＣＡを行い、
前記ＣＣＡのためのコンテンションウインドウサイズを設定し、
前記コンテンションウインドウサイズは、第１の観測ウインドウにおいて観測される第１の要因に基づく第１のコンテンションウインドウサイズを前記ＣＣＡのためのコンテンションウインドウサイズとして設定し、
第２の観測ウインドウにおいて第２の要因が検出された場合、前記第２の要因に基づく第２のコンテンションウインドウサイズを前記ＣＣＡのためのコンテンションウインドウサイズとして設定する
ことを特徴とする方法。
【請求項８】
前記第１の観測ウインドウは、前記基地局装置が送信した前記ＰＤＳＣＨに対するＨＡＲＱ−ＡＣＫ／ＮＡＣＫ応答を観測するための観測ウインドウであり、
前記第１の要因は、前記基地局装置が送信した前記ＰＤＳＣＨに対するＨＡＲＱ−ＡＣＫ／ＮＡＣＫ応答が検出されることであり、
前記第２の観測ウインドウは、前記基地局装置のチャネル感知のための観測ウインドウであり、
前記第２の要因は、前記基地局装置のチャネル感知の結果ビジーが検出されることである
ことを特徴とする請求項７記載の方法。
【発明の詳細な説明】
【技術分野】
【０００１】
本発明の実施形態は、効率的な通信を実現する基地局装置および方法に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼
称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。
【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。
【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いら
れる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネ
ントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）
でも用いられる。
【先行技術文献】
【非特許文献】
【０００６】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】3rd Generation Partnership Project; Technical Specification Group Radio Access Network; Study on Licensed-Assisted Access to Unlicensed Spectrum; (Release 13) 3GPP TR 36.889 V1.0.1 (2015-6).
【発明の概要】
【発明が解決しようとする課題】
【０００７】
ＬＡＡに用いられる周波数帯域は無線ＬＡＮなど他のシステムと共有することになる。しかし、従来のＬＴＥには通信に用いる周波数帯域は無線ＬＡＮなど他のシステムと共有する設計がなされていない。具体的には、従来のＬＴＥには通信に用いる周波数帯域がアイドル状態かビジー状態かどうかを識別することができない。
【０００８】
本発明は上記の点に鑑みてなされたものであり、その目的は、他のシステムと共有する周波数帯域を用いたセルを効率的に制御することができる基地局装置および方法を提供することである。
【課題を解決するための手段】
【０００９】
（１）上記の目的を達成するために、本発明は、以下のような手段を講じた。すなわち、本発明の一様態による基地局装置は、ＰＤＳＣＨを送信する送信部と、前記ＰＤＳＣＨを送信する前にＣＣＡを行うＣＣＡ実行部と、前記ＣＣＡのためのコンテンションウインドウサイズを設定するコンテンションウインドウサイズ設定部を備え、前記コンテンションウインドウサイズ設定部は、第１の要因に基づく第１のコンテンションウインドウサイズと、第２の要因に基づく第１のコンテンションウインドウサイズを比較し、大きいほうのコンテンションウインドウサイズを前記ＣＣＡのためのコンテンションウインドウサイズとして設定する。
【００１０】
（２）また、本発明の一様態による基地局装置は上述の基地局装置であって、前記第１の要因は、前記基地局装置が送信した前記ＰＤＳＣＨに対するＨＡＲＱ−ＡＣＫ／ＮＡＣＫ応答が検出されることであり、前記第２の要因は、前記基地局装置のチャネル感知の結果ビジーが検出されることである。
【発明の効果】
【００１１】
この発明によれば、基地局装置と端末装置が通信する無線通信システムにおいて、伝送効率を向上させることができる。
【図面の簡単な説明】
【００１２】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である。
【図４】本実施形態に係る端末装置１のブロック構成の一例を示す概略図である。
【図５】本実施形態に係る下りリンクの信号構成の一例を示す図である。
【図６】本実施形態に係る下りリンク送信のためのＣＣＡの手順の一例を示す図である。
【図７】本実施形態に係る下りリンク送信のためのＣＣＡの手順の異なる一例を示す図である。
【発明を実施するための形態】
【００１３】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００１４】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態にお
いて、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００１５】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００１６】
ＥＵＴＲＡおよびＡｄｖａｎｃｅｄ  ＥＵＴＲＡでは、フレーム構成タイプが定義される。フレーム構成タイプ１（Frame structure type 1）は周波数分割複信（Frequency Division Duplex、ＦＤＤ）に適用できる。フレーム構成タイプ２（Frame structure type 2）は時分割複信（Time Division Duplex、ＴＤＤ）に適用できる。
【００１７】
図１は、本実施形態に係る下りリンクの無線フレーム構成の一例を示す図である。下りリンクはＯＦＤＭアクセス方式が用いられる。下りリンクにおいて、下りリンクの信号および／または下りリンクの物理チャネルを送信することを、下りリンク送信と呼称される。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッス（ＣＰ）が付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００１８】
下りリンクでは、同期信号が割り当てられる。同期信号とは、主に下りリンクの信号および／またはチャネルを送信する基地局装置と下りリンクの信号および／またはチャネルを受信する端末装置との間において、下りリンクの信号および／またはチャネルのタイミングを調整するために用いられる。具体的には、端末装置において、同期信号は無線フレームまたはサブフレームまたはＯＦＤＭシンボルの受信タイミングを調整するために用いられる。また、端末装置において、同期信号は要素キャリアの中心周波数の検出にも用いられる。また、端末装置において、同期信号はＯＦＤＭシンボルのＣＰ長の検出にも用いられる。また、端末装置において、同期信号は、その同期信号が送信されたセル（基地局
装置）の識別にも用いられる。言い換えると、端末装置において、同期信号は、その同期信号が送信されたセルのセル識別子の検出にも用いられる。なお、端末装置において、同期信号はＡＧＣ（Automatic Gain Control）を行うためにも用いられてもよい。なお、端末装置において、同期信号はＦＦＴ（Fast Fourier Transform）を行うためのシンボルの処理タイミングを調整するために用いられてもよい。なお、端末装置において、同期信号は参照信号受信電力（ＲＳＲＰ）の計算に用いられてもよい。なお、同期信号は、その同期信号が送信されるチャネルの確保のために用いられてもよい。
【００１９】
プライマリー同期信号（第１のプライマリー同期信号）とセカンダリー同期信号（第１のセカンダリー同期信号）は、セル捜索を促進するために下りリンクで送信される。セル捜索とは、端末装置がセルとの時間および周波数同期を取得し、そのセルの物理セル識別子（physical layer Cell ID）を検出する、端末装置による手順である。Ｅ−ＵＴＲＡセル捜索は６リソースブロックとそれ以上に相当する柔軟で全体的な送信帯域幅をサポートする。
【００２０】
図１に図示されるプライマリー同期信号（Primary Synchronization Signal、ＰＳＳ）とセカンダリー同期信号（Secondary Synchronization Signal、ＳＳＳ）は、下りリンク帯域幅（下りリンクのシステム帯域幅、下りリンク送信帯域幅）に依らず、中心周波数を中心とした６２サブキャリア（６２リソースエレメント）を用いて送信される。なお、システム帯域幅内のサブキャリアの中央に相当する直流サブキャリア（ＤＣサブキャリア）は、プライマリー同期信号およびセカンダリー同期信号として用いられない。なお、プライマリー同期信号とセカンダリー同期信号の両端の５サブキャリア（５リソースエレメント）は予約され、プライマリー同期信号およびセカンダリー同期信号の送信のためには用いられない。上記の送信のために用いられる６２リソースエレメントに加え、両端の５リソースエレメントも含めてプライマリー同期信号およびセカンダリー同期信号と呼称される。
【００２１】
セカンダリー同期信号は、２つの長さ３１の系列の組み合わせで定義される。セカンダリー同期信号に用いられる系列は２つの長さ３１の系列を交互配置して連結した系列である。連結された系列はプライマリー同期信号によって与えられるスクランブル系列によってスクランブルされる。長さ３１の系列は、Ｍ系列に基づいて生成される。長さ３１の系列は、セル識別子から導出される１６８の固有な物理層セル識別子グループに基づいて生成される。プライマリー同期信号によって与えられるスクランブル系列は、３つの固有な識別子に基づいて生成されるＭ系列である。セカンダリー同期信号の系列のリソースエレメントへのマッピングは、フレーム構成に依存する。セカンダリー同期信号は、フレーム構成タイプ１において、スロット０（すなわち、サブフレーム０の１番目のスロット）およびスロット１０（すなわち、サブフレーム５の１番目のスロット）の最後から２番目のＯＦＤＭシンボルに位置される。セカンダリー同期信号は、フレーム構成タイプ２において、スロット１（すなわち、サブフレーム０の２番目のスロット）およびスロット１１（すなわち、サブフレーム５の２番目のスロット）の最後のＯＦＤＭシンボルに位置される。
【００２２】
なお、ここでは図示していないが、下りリンクサブフレームには、物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ、非ゼロ電力ＣＳＩ−ＲＳ、ＮＺＰ  ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで
送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００２３】
なお、ここでは図示していないが、下りリンクサブフレームには、主に同時に送信されるＰＤＳＣＨのレートマッチングのために用いられるゼロ電力ＣＳＩ−ＲＳ（ＺＰ  ＣＳＩ−ＲＳ）や、主にチャネル状態情報の干渉測定に用いられるＣＳＩ干渉マネージメント（ＣＳＩ−ＩＭ）が配置されてもよい。ゼロ電力ＣＳＩ−ＲＳとＣＳＩ−ＩＭは、非ゼロ電力ＣＳＩ−ＲＳが配置可能なリソースエレメントに配置されてもよい。ＣＳＩ−ＩＭは、ゼロ電力ＣＳＩ−ＲＳに重ねて設定されてもよい。
【００２４】
なお、ここでは図示していないが、下りリンクサブフレームには、検出信号（ＤＳ：Ｄｉｓｃｏｖｅｒｙ  Ｓｉｇｎａｌ）が配置されてもよい。あるセルにおいて、ＤＳ（ＤＳ
Ｏｃｃａｓｉｏｎ）は、連続する所定数のサブフレームの時間期間（ＤＳ期間）で構成される。その所定数は、ＦＤＤ（Frame structure type 1）において１から５であり、ＴＤＤ（Frame structure type 2）において２から５である。その所定数は、ＲＲＣのシグナリングによって設定される。また、端末装置はＤＳ期間を測定する区間が設定される。ＤＳ期間を測定する区間の設定を、ＤＭＴＣ（Discovery signals measurement timing configuration）とも呼称される。端末装置がＤＳ期間を測定する区間（ＤＭＴＣ区間、ＤＭＴＣ  Ｏｃｃａｓｉｏｎ）は、６ｍｓ（６サブフレーム）の区間で設定される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＣのシグナリングによって設定される。
【００２５】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００２６】
図２は、本実施形態に係る上りリンクの無線フレーム構成の一例を示す図である。上りリンクはＳＣ−ＦＤＭＡ方式が用いられる。上りリンクにおいて、上りリンクの信号および／または上りリンクの物理チャネルを送信することを、上りリンク送信と呼称される。つまり、上りリンク送信は、ＰＵＳＣＨの送信と換言できる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクの
ＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。伝搬遅延の補正などから、端末装置の視点から、上りリンクの無線フレーム（上りリンクサブフレーム）の先頭は下りリンクの無線フレーム（下りリンクサブフレーム）の先頭よりも前になるように調整される。
【００２７】
同期シグナルは、３種類のプライマリー同期シグナルと、周波数領域で互い違いに配置される３１種類の符号から構成されるセカンダリー同期シグナルとで構成され、プライマリー同期シグナルとセカンダリー同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００２８】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００２９】
報知情報として、セル個別の識別子を示すセルグローバル識別子（ＣＧＩ；  Ｃｅｌｌ
Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３０】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され
、拡張物理下りリンク制御チャネル、または物理下りリンク共用チャネルを復調するときのチャネルの伝搬路補償処理のために参照される。
【００３２】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３３】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。なお、上りリンクグラントは、ＰＵＳＣＨをスケジュールするＤＣＩフォーマットと換言することができる。なお、下りリンクグラントは、ＰＤＳＣＨをスケジュールするＤＣＩフォーマットと換言することができる。ＰＤＳＣＨがスケジュールされるサブフレームは、そのＰＤＳＣＨの受信を指示するＤＣＩフォーマットの復号が成功したサブフレームである。また、ＰＵＳＣＨがスケジュールされるサブフレームは、そのＰＵＳＣＨの送信を指示するＤＣＩフォーマットの復号が成功したサブフレームに関連付けられて指示される。例えば、ＦＤＤセルの場合、ＰＵＳＣＨがスケジュールされるサブフレームは、そのＰＵＳＣＨの送信を指示するＤＣＩフォーマットの復号が成功したサブフレームから４サブフレーム後である。すなわち、ＰＵＳＣＨおよびＰＤＳＣＨがスケジュールされるサブフレームは、その送信または受信が指示されるＤＣＩフォーマットの復号が成功したサブフレームに関連付けられる。
【００３４】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３５】
ＣＳＩは、前記ＣＳＩに対応するサービングセルの受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する
）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００３６】
例えば、端末装置１は、下りリンク物理リソースブロックのグループを占領し、ＣＱＩインデックスに対応する変調方式およびトランスポートブロックサイズの組み合わせによって決定される一つのＰＤＳＣＨトランスポートの誤り確率が所定の値（例えば、０．１）を超えないような条件を満たす前記ＣＱＩインデックスを報告する。
【００３７】
尚、ＣＱＩ、ＰＭＩ、および／または、ＲＩの計算に用いられる下りリンク物理リソースブロックはＣＳＩ参照リソース（ＣＳＩ  ｒｅｆｅｒｅｎｃｅ  ｒｅｓｏｕｒｃｅ）と称される。
【００３８】
端末装置１は、ＣＳＩを基地局装置２に報告する。ＣＳＩ報告は、周期的なＣＳＩ報告と非周期的なＣＳＩ報告がある。周期的なＣＳＩ報告では、端末装置１は、上位層で設定されたタイミングにおいて、ＣＳＩを報告する。非周期的なＣＳＩ報告では、端末装置１は、受信した上りリンクＤＣＩフォーマット（上りリンクグラント）またはランダムアクセスレスポンスグラントに含まれるＣＳＩ要求の情報に基づいたタイミングにおいて、ＣＳＩを報告する。
【００３９】
端末装置１は、ＣＱＩおよび／またはＰＭＩおよび／またはＲＩを報告する。尚、端末装置１は、上位層の設定によって、ＰＭＩおよび／またはＲＩを報告しなくてもよい。上位層の設定は、例えば、送信モード、フィードバックモード、報告タイプ、ＰＭＩ／ＲＩを報告するか否かのパラメータ、である。
【００４０】
また、端末装置１は、１つのサービングセルに対して１つまたは複数のＣＳＩプロセス（ＣＳＩ  ｐｒｏｃｅｓｓ）が設定されてもよい。ＣＳＩプロセスは、ＣＳＩの報告と対応付けられて設定される。１つのＣＳＩプロセスは、１つのＣＳＩ−ＲＳリソースと１つのＣＳＩ−ＩＭリソースに関連付けられる。
【００４１】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ランダムアクセスに対する返答（ランダムアクセスレスポンス、ＲＡＲ）、ページングや、物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４２】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャ
ネルで示される。
【００４３】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４４】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４５】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４６】
ランダムアクセスレスポンスは、端末装置のランダムアクセスに対する基地局装置からの返答情報である。ランダムアクセスレスポンスは、ＲＡ−ＲＮＴＩによってスクランブルされたＣＲＣを有するＰＤＣＣＨの制御情報によりスケジュールされたＰＤＳＣＨに含まれて基地局装置から送信される。ランダムアクセスレスポンスには、送信タイミング調整情報、上りリンクグラント（ランダムアクセスレスポンスに含まれる上りリンクグラントをランダムアクセスレスポンスグラントとも称する。）、一時的な端末装置の識別子であるＴｅｍｐｏｒａｒｙ  Ｃ−ＲＮＴＩの情報が含まれている。
【００４７】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００４８】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークの
ことを、ヘテロジニアスネットワークと称する。
【００４９】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５０】
また、端末装置と基地局装置は、キャリアアグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００５１】
例えば、キャリアアグリゲーションによって周波数帯域幅が２０ＭＨｚのコンポーネントキャリアを５つ集約した場合、キャリアアグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５２】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００５３】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００５４】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００５５】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設
定されるタイマーに基づいて状態が変更される。プライマリセルとセカンダリセルとを合わせてサービングセル（在圏セル）と称する。
【００５６】
なお、キャリアアグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００５７】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００５８】
言い換えると、キャリアアグリゲーション（キャリアアグリゲーションとも称す）において、設定された複数のサービングセルは、１つのプライマリセルと１つまたは複数のセカンダリセルとを含む。
【００５９】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリー周波数でオペレーションする。コネクションが（再）構築された時点、または、その後に、セカンダリセルが設定されてもよい。セカンダリセルは、セカンダリー周波数でオペレーションする。なお、コネクションは、ＲＲＣコネクションと称されてもよい。ＣＡをサポートしている端末装置に対して、１つのプライマリセルと１つ以上のセカンダリセルで集約される。
【００６０】
本実施形態では、ＬＡＡ（Licensed Assisted Access）が用いられる。ＬＡＡにおいて、プライマリセルは割り当て周波数が設定され（用いられ）、セカンダリセルの少なくとも１つは非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。
【００６１】
ＬＡＡセルは、プライマリセルおよび／またはセカンダリセルとデュアルコネクティビティによって、集約（アシスト）されてもよい。
【００６２】
以下では、デュアルコネクティビティの基本構造（アーキテクチャー）について説明する。例えば、端末装置１が、複数の基地局装置２（例えば、基地局装置２−１、基地局装
置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００６３】
なお、キャリアアグリゲーションは、複数のセルを一つの基地局装置２が管理し、各セルの周波数が異なるという点がデュアルコネクティビティと異なる。換言すると、キャリアアグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００６４】
端末装置１と基地局装置２は、キャリアアグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００６５】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【００６６】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【００６７】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【００６８】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【００６９】
なお、基地局装置２−２とＭＭＥが、ＭＭＥインターフェースによって直接接続されるような構成であってもよい。
【００７０】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００７１】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００７２】
デュアルコネクティビティにおいて、プライマリセルは、ＭＣＧに属する。また、ＳＣＧにおいて、プライマリセルに相当するセカンダリセルをプライマリセカンダリセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳ（共通サーチスペース）またはＵＳＳ（ＵＥ個別サーチスペース）とは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【００７３】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００７４】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００７５】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００７６】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００７７】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのｐＳＣｅｌｌとして設定される。
【００７８】
ＬＡＡセルにデュアルコネクティビティが適用される場合の別の一例において、ＭＣＧはプライマリセルを構成する基地局装置であり、ＳＣＧはｐＳＣｅｌｌおよびＬＡＡセルを構成する基地局装置である。すなわち、ＬＡＡセルは、ＳＣＧにおいて、ｐＳＣｅｌｌからアシストされる。なお、ＳＣＧにセカンダリセルがさらに設定された場合、ＬＡＡセルは、そのセカンダリセルからアシストされてもよい。
【００７９】
ＬＡＡセルにデュアルコネクティビティが適用される場合の別の一例において、ＭＣＧはプライマリセルおよびＬＡＡセルを構成する基地局装置であり、ＳＣＧはｐＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【００８０】
図３は、本実施形態に係る基地局装置２のブロック構成の一例を示す概略図である。基地局装置２は、上位層（上位層制御情報通知部、上位層処理部）３０１、制御部（基地局制御部）３０２、コードワード生成部３０３、下りリンクサブフレーム生成部３０４、ＯＦＤＭ信号送信部（下りリンク送信部）３０６、送信アンテナ（基地局送信アンテナ）３０７、受信アンテナ（基地局受信アンテナ）３０８、ＳＣ−ＦＤＭＡ信号受信部（ＣＳＩ受信部）３０９、上りリンクサブフレーム処理部３１０を有する。下りリンクサブフレーム生成部３０４は、下りリンク参照信号生成部３０５を有する。また、上りリンクサブフレーム処理部３１０は、上りリンク制御情報抽出部（ＣＳＩ取得部）３１１を有する。
【００８１】
図４は、本実施形態に係る端末装置１のブロック構成の一例を示す概略図である。端末装置１は、受信アンテナ（端末受信アンテナ）４０１、ＯＦＤＭ信号受信部（下りリンク受信部）４０２、下りリンクサブフレーム処理部４０３、トランスポートブロック抽出部（データ抽出部）４０５、制御部（端末制御部）４０６、上位層（上位層制御情報取得部、上位層処理部）４０７、チャネル状態測定部（ＣＳＩ生成部）４０８、上りリンクサブフレーム生成部４０９、ＳＣ−ＦＤＭＡ信号送信部（ＵＣＩ送信部）４１１、送信アンテナ（端末送信アンテナ）４１２を有する。下りリンクサブフレーム処理部４０３は、下りリンク参照信号抽出部４０４を有する。また、上りリンクサブフレーム生成部４０９は、上りリンク制御情報生成部（ＵＣＩ生成部）４１０を有する。
【００８２】
まず、図３および図４を用いて、下りリンクデータの送受信の流れについて説明する。基地局装置２において、制御部３０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部３０３や下りリンクサブフレーム生成部３０４を制御する。上位層３０１から送られてくる下りリンクデータ（下りリンクトランスポートブロックとも称す）は、コードワード生成部３０３において、制御部３０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部３０４では、制御部３０２の指示により、下りリンクサブフレームが生成される。まず、コードワード生成部３０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層３０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部３０５では、下りリンク参照信号が生成される。下りリンクサブフレーム生成部３０４は、制御部３０２の指示により、下りリンク参照信号を下りリンクサブフレーム内のＲＥにマッピングする。下りリンクサブフレーム生成部３０４で生成された下りリンクサブフレームは、ＯＦＤＭ信号送信部３０６においてＯＦＤＭ信号に変調され、送信アンテナ３０７を介して送信される。なお、ここではＯＦＤＭ信号送信部３０６と送信アンテナ３０７を一つずつ有する構成を例示しているが、複数のアンテナポートを用いて下りリンクサブフレームを送信する場合は、ＯＦＤＭ信号送信部３０６と送信アンテナ３０７とを複数有する構成であってもよい。また、下りリンクサブフレーム生成部３０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。なお、ＬＡＡセルで運用される基地局装置２は、チャネルがアイドルかビジーかを判定するＣＣ
Ａチェック部３１２を含んで構成される。ＣＣＡチェック部３１２は、受信アンテナ３０８からの受信電力を用いて判定する方法や、上りリンクサブフレーム処理部３１０からの特定の信号を検出したか否かで判定する方法などが実装される。ＣＣＡチェック部３１２の判定結果は制御部３０２に送られ、送信の制御に用いられる。
【００８３】
端末装置１では、受信アンテナ４０１を介して、ＯＦＤＭ信号受信部４０２においてＯＦＤＭ信号が受信され、ＯＦＤＭ復調処理が施される。下りリンクサブフレーム処理部４０３は、まずＰＤＣＣＨやＥＰＤＣＣＨなどの物理層の下りリンク制御チャネルを検出する。より具体的には、下りリンクサブフレーム処理部４０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部４０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ
Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部４０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部４０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部４０３やトランスポートブロック抽出部４０５などを制御する。より具体的には、制御部４０６は、下りリンクサブフレーム生成部３０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部４０５に送られる。また、下りリンクサブフレーム処理部４０３内の下りリンク参照信号抽出部４０４は、下りリンクサブフレームから下りリンク参照信号を取り出す。トランスポートブロック抽出部４０５では、コードワード生成部３０３におけるレートマッチング処理、誤り訂正符号化に対応するレートマッチング処理、誤り訂正復号化などが施され、トランスポートブロックが抽出され、上位層４０７に送られる。トランスポートブロックには、上位層制御情報が含まれており、上位層４０７は上位層制御情報に基づいて制御部４０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部４０５では、トランスポートブロックが正しく検出できたか否かを判定し、判定結果は制御部４０６に送られる。なお、ＬＡＡセルで運用される端末装置１は、チャネルがアイドルかビジーかを判定するＣＣＡチェック部４１３を含んで構成される。ＣＣＡチェック部４１３は、受信アンテナ４０１からの受信電力を用いて判定する方法や、下りリンクサブフレーム処理部４０３からの特定の信号を検出したか否かで判定する方法などが実装される。ＣＣＡチェック部４１３の判定結果は制御部４０６に送られ、送信の制御に用いられる。
【００８４】
次に、上りリンク信号の送受信の流れについて説明する。端末装置１では制御部４０６の指示の下で、下りリンク参照信号抽出部４０４で抽出された下りリンク参照信号がチャネル状態測定部４０８に送られ、チャネル状態測定部４０８においてチャネル状態および
／または干渉が測定され、さらに測定されたチャネル状態および／または干渉に基づいて、ＣＳＩが算出される。また、制御部４０６は、トランスポートブロックが正しく検出できたか否かの判定結果に基づいて、上りリンク制御情報生成部４１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部４１０では、算出されたＣＳＩおよび／またはＨＡＲＱ−ＡＣＫを含むＰＵＣＣＨが生成される。上りリンクサブフレーム生成部４０９では、上位層４０７から送られる上りリンクデータを含むＰＵＳＣＨと、上りリンク制御情報生成部４１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部４１１において、ＳＣ−ＦＤＭＡ変調が施されＳＣ−ＦＤＭＡ信号が生成され、送信アンテナ４１２を介して送信される。
【００８５】
ここで、端末装置１はＣＲＳまたはＣＳＩ−ＲＳ（非ゼロ電力ＣＳＩ−ＲＳ）に基づいてＣＱＩの値を計算するためのチャネル測定を行う（導出する）。端末装置１が、ＣＲＳ、または、ＣＳＩ−ＲＳに基づいて導出するかは上位層シグナルによって切り替えられる。具体的には、ＣＳＩ−ＲＳが設定される送信モードにおいては、ＣＳＩ−ＲＳのみに基づいてＣＱＩを計算するためのチャネル測定を導出する。具体的には、ＣＳＩ−ＲＳが設定されない送信モードにおいては、ＣＲＳに基づいてＣＱＩを計算するためのチャネル測定を導出する。ＣＳＩを計算するためのチャネル測定で用いられるＲＳは、第１のＲＳとも呼称される。
【００８６】
ここで、端末装置１は、上位層で設定された場合、ＣＳＩ−ＩＭまたは第２のＲＳに基づいてＣＱＩを計算するための干渉測定を行う（導出する）。具体的には、ＣＳＩ−ＩＭが設定される送信モードにおいて、ＣＳＩ−ＩＭに基づいてＣＱＩを計算するための干渉測定を導出する。具体的には、ＣＳＩ−ＩＭが設定される送信モードにおいて、ＣＳＩプロセスに関連付けられたＣＳＩ−ＩＭリソースのみに基づいて前記ＣＳＩプロセスに対応するＣＱＩの値を計算するための干渉測定を導出する。ＣＳＩを計算するためのチャネル測定で用いられるＲＳまたはＩＭは、第２のＲＳとも呼称される。
【００８７】
尚、端末装置１は、ＣＲＳに基づいてＣＱＩを計算するための干渉測定を行ってもよい（導出してもよい）。例えば、ＣＳＩ−ＩＭが設定されない場合に、ＣＲＳに基づいてＣＱＩを計算するための干渉測定を導出してもよい。
【００８８】
尚、ＣＱＩを計算するためのチャネルおよび／または干渉は、同様にＰＭＩまたはＲＩを計算するためのチャネルおよび／または干渉に用いてもよい。
【００８９】
以下では、ＬＡＡセルの詳細について説明する。
【００９０】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００９１】
公平な周波数共用技術の一例は、ＬＢＴ（Listen-Before-Talk）である。ＬＢＴは、ある基地局または端末がある周波数（コンポーネントキャリア、キャリア、セル、チャネル、媒体）を用いて信号を送信する前に、その周波数の干渉電力（干渉信号、受信電力、受
信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局および／または端末が送信している信号に対して、干渉しないように制御できる。なお、下りリンク送信の前に基地局装置が行うＬＢＴを下りリンクＬＢＴ、上りリンク送信の前に端末装置が行うＬＢＴを上りリンクＬＢＴと呼称される。また、サイドリンク送信のために端末装置が行うＬＢＴをサイドリンクＬＢＴと呼称してもよい。
【００９２】
ＬＢＴの手順は、ある基地局または端末がその周波数（チャネル）を用いる前にＣＣＡ（Clear Channel Assessment）チェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。なお、本実施形態において、ＣＣＡはキャリアセンスとも呼称される。
【００９３】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づいて決定（設定）されてもよい。また、例えば、ＣＣＡは、ある周波数における所定のチャネルが復号できたか否かに基づいて決定する。
【００９４】
ＬＢＴの手順として、１度のＣＣＡチェックを行った後に信号を送信することができるＩＣＣＡ（Initial CCA、single sensing、LBT category 2、FBE: Frame-based Equipment）と、所定回数のＣＣＡチェックを行った後に信号を送信することができるＥＣＣＡ（Extended CCA、multiple sensing、LBT category 3/4、LBE: Load-based Equipment）がある。ＩＣＣＡによってＣＣＡチェックを行う期間を、ＩＣＣＡ期間、またはＩＣＣＡスロット長と称され、例えば、３４マイクロ秒である。またＥＣＣＡによってＣＣＡチェックを行う期間を、ＥＣＣＡ期間、またはＥＣＣＡスロット長と称され、例えば、９マイクロ秒である。なお、所定回数は、バックオフカウンタ（カウンタ、乱数カウンタ、ＥＣＣＡカウンタ）とも称される。また、その周波数がビジー状態からアイドル状態に変化した後に、ＣＣＡチェックを行う期間を、デファ期間（ｄｅｆｅｒ  ｐｅｒｉｏｄ）、またはＥＣＣＡ  デファ期間（ＥＣＣＡ  ｄｅｆｅｒ  ｐｅｒｉｏｄ）と称され、例えば、３４マイクロ秒である。
【００９５】
図６に、下りリンク送信におけるＬＢＴ（LBT category 4、LBE）の手順の一例を示す
。基地局装置は、下りリンク送信を待機しているアイドル状態（Ｓ６０１）から、端末装置に対して下りリンク送信が必要な情報（データ、バッファ、ロード、トラヒック）が発生した場合、送信が必要か否かを決定し（Ｓ６０２）、初期ＣＣＡ（Ｓ６０３）に移行する。初期ＣＣＡでは、初期ＣＣＡ期間（Initial CCA period）にＣＣＡチェックを行い、チャネルがアイドルかビジーかを感知する（Ｓ６０３１）。初期ＣＣＡ（Ｓ６０３）を行った結果、チャネルがアイドルであったと判断した場合、基地局装置はそのチャネルのアクセス権を獲得し、送信の動作に移行する。そして、そのタイミングで実際に下りリンク
送信を行うか否かを判断し（Ｓ６０４）、下りリンク送信を行うと決定した場合に下りリンク送信を行う（Ｓ６０５）。その下りリンク送信を行った後、他の下りリンク送信が必要な情報がまだ存在（残留）しているか否かを判別する（Ｓ６０６）。他の下りリンク送信が必要な情報がまだ存在（残留）していない場合には、アイドル状態（Ｓ６０１）に戻る。一方で、初期ＣＣＡ（Ｓ６０３）を行った結果、チャネルがビジーであったと判断した場合や、他の下りリンク送信が必要な情報がまだ存在（残留）しているか否かの判別（Ｓ６０６）の結果、下りリンク送信後に他の下りリンク送信が必要な情報がまだ存在（残留）している場合には、拡張ＣＣＡ（Ｓ６０７）に移行する。拡張ＣＣＡでは、初めに、基地局装置は０からｑ−１の範囲からランダムにカウンタ値Ｎを生成する（Ｓ６０７１）。次に、基地局装置はＥＣＣＡデファ期間でチャネルがアイドルかビジーかを感知する（Ｓ６０７２）。ＥＣＣＡデファ期間においてチャネルがビジーであると判断した場合は、再度ＥＣＣＡデファ期間でチャネルがアイドルかビジーかを感知する（Ｓ６０７２）。一方で、ＥＣＣＡデファ期間においてチャネルがアイドルであると判断した場合は、次に、基地局装置は、１つのＥＣＣＡスロット時間でチャネル（媒体）を感知し（Ｓ６０７３）、そのチャネルがアイドルかビジーかを判断する（Ｓ６０７４）。そのチャネルがアイドルと判断した場合は、カウンタ値Ｎから１つ減らし（Ｓ６０７５）、そのチャネルがビジーと判断した場合は、再度ＥＣＣＡデファ期間でチャネルを感知するプロセス（Ｓ６０７２）に戻る。そして、基地局装置は、カウンタ値が０になったか否かを判断し（Ｓ６０７６）、カウンタ値が０になった場合には、送信を行うプロセス（Ｓ６０４、Ｓ６０５）に移行する。一方で、カウンタ値が０ではない場合には、再度１つのＥＣＣＡスロット時間でチャネル（媒体）を感知する（Ｓ６０７３）。なお、カウンタ値Ｎを生成する際の衝突窓ｑの値はチャネルの状態に応じてＸとＹの間の値となるように更新される（Ｓ６０７７）。
【００９６】
図７に、下りリンク送信におけるＬＢＴ（LBT category 4、LBE）の手順の異なる一例
を示す。基地局装置は、下りリンク送信を待機しているアイドル状態（Ｓ７０１）から、端末装置に対して下りリンク送信が必要な情報（データ、バッファ、ロード、トラヒック）が発生した場合（Ｓ７０２：ＹＥＳ）には、初期ＣＣＡ手順に移行する（Ｓ７０３）。初期ＣＣＡでは、初期ＣＣＡスロットがアイドルであるか否か（ビジーであるか）を判定する（Ｓ７０３１）。初期ＣＣＡスロットがアイドルであったと判断した場合（Ｓ７０３１：ＹＥＳ）、さらに、初期ＣＣＡデファ期間においてチャネルがアイドルであるか否か（ビジーであるか）を判断する（Ｓ７０３２）。初期ＣＣＡデファ期間でチャネルがビジーであったと判断した場合（Ｓ７０３２：ＮＯ）、Ｓ７０３１の動作に戻る。初期ＣＣＡデファ期間でチャネルがアイドルであったと判断した場合（Ｓ７０３２：ＹＥＳ）、基地局装置はそのチャネルのアクセス権を獲得し、送信の動作に移行する。そして、そのタイミングで実際に下りリンク送信を行うか否かを判断する（Ｓ７０４）。基地局装置は、下りリンク送信を行うと決定した場合（Ｓ７０４：ＹＥＳ）に下りリンク送信を行う（Ｓ７０５）。その下りリンク送信を行った後、他の下りリンク送信が必要な情報がまだ存在（残留）しているか否かを判別する（Ｓ７０６）。他の下りリンク送信が必要な情報がまだ存在（残留）していない場合には、アイドル状態に戻る（Ｓ７０１）。一方で、初期ＣＣＡスロットにおいてＣＣＡを行った結果、チャネルがビジーであったと判断した場合（Ｓ７０３１：ＹＥＳ）、または、他の下りリンク送信が必要な情報がまだ存在（残留）しているか否かの判別の結果、下りリンク送信後に他の下りリンク送信が必要な情報がまだ存在（残留）している場合（Ｓ７０６：ＹＥＳ）には、拡張ＣＣＡ手順に移行する（Ｓ７０７）。拡張ＣＣＡでは、初めに、基地局装置は０からｑ−１の範囲からランダムにカウンタ値Ｎを生成する（Ｓ７０７１）。次に、基地局装置はＥＣＣＡデファ期間でチャネルがアイドルかビジーかを判断する（Ｓ７０７２）。ＥＣＣＡデファ期間においてチャネルがビジーであると判断した場合は、再度ＥＣＣＡデファ期間でチャネルがアイドルかビジーかを判断する（Ｓ７０７２）。一方で、ＥＣＣＡデファ期間においてチャネルがアイドルであると判断した場合は、カウンタ値Ｎが０であるか判断する（Ｓ７０７６）。Ｎ＝０で
ないと判断された場合（Ｓ７０７６：ＮＯ）に、基地局装置は、カウンタ値Ｎから１つ減らす（Ｓ７０７３）。そして、基地局装置は、ＥＣＣＡスロットがビジーか否か（ビジーかアイドルか）を判断する（Ｓ７０７４）。ＥＣＣＡスロットがビジーと判断した場合（Ｓ７０７４：ＹＥＳ）は、再度ＥＣＣＡデファ期間でチャネルをセンシングするプロセス（Ｓ７０７２）に戻る。一方で、ＥＣＣＡスロットがアイドルと判断した場合（Ｓ７０７４：ＮＯ）は、次のＥＣＣＡスロットへ進み（Ｓ７０７５）、再び、カウンタ値Ｎが０であるか判断し（Ｓ７０７６）、Ｎ＝０であると判断された場合（Ｓ７０７６：ＹＥＳ）には、送信を行うプロセスに移行する（Ｓ７０４およびＳ７０５）。なお、カウンタ値Ｎを生成する際の衝突窓ｑの値はチャネルの状態に応じてＸとＹの間の値となるように更新される（Ｓ７０７７）。
【００９７】
なお、ＩＣＣＡを行うことおよび／またはＥＣＣＡを行うことはＣＣＡ実行と称されてもよい。なお、コンテンションウインドウサイズを設定することはコンテンションウインドウサイズ設定またはコンテンションウインドウサイズ適合（適応）と称されてもよい。
【００９８】
なお、図７の例では、ＥＣＣＡデファ期間またはＥＣＣＡスロットがアイドルであった場合に、カウンタ値Ｎから１つ減らす動作をしている（Ｓ７０７３）が、Ｓ７０７３において必ずカウンタ値Ｎから１つ減らす動作はしなくてもよい。すなわち、ＥＣＣＡデファ期間またはＥＣＣＡスロットがアイドルであった場合でもＳ７０７３においてカウンタ値Ｎから１つ減らす動作をしなくてもよい。すなわち、ＥＣＣＡデファ期間またはＥＣＣＡスロットがアイドルであった場合でも現状のカウンタ値Ｎを保持（維持）してもよい。これにより、基地局装置はデータ送信のタイミングを調整することが可能となる。
【００９９】
なお、初期ＣＣＡはＩＣＣＡ（Initial CCA）と称されてもよいし、初期ＣＣＡスロッ
トはＩＣＣＡスロット（Initial CCA slot）と称されてもよいし、初期ＣＣＡデファ期間はＩＣＣＡデファ期間（Initial CCA defer period）と称されてもよい。なお、拡張ＣＣＡはＥＣＣＡ（Extended CCA）と称されてもよいし、拡張ＣＣＡスロットはＥＣＣＡスロット（Extended CCA slot）と称されてもよいし、拡張ＣＣＡデファ期間はＥＣＣＡデフ
ァ期間（Extended CCA defer period）と称されてもよい。
【０１００】
なお、初期ＣＣＡとＥＣＣＡはそれぞれ、第１のＣＣＡと第２のＣＣＡと規定されてもよい。すなわち、初期ＣＣＡは第１のＣＣＡと称され、ＥＣＣＡは第２のＣＣＡと称されてもよい。なお、第１のＣＣＡと第２のＣＣＡは同じＣＣＡであってもよいし、異なるＣＣＡであってもよい。なお、第１のＣＣＡと第２のＣＣＡはその両方を行ってもよいし片方のみを行ってもよい。例えば、第１のＣＣＡが初期ＣＣＡで、第２のＣＣＡがＥＣＣＡの場合、第１のＣＣＡ（初期ＣＣＡ）のみを用いてデータ送信を行ってもよい。換言すると、データを送信する場合に第２のＣＣＡ（ＥＣＣＡ）は行われなくてもよい。
【０１０１】
なお、初期ＣＣＡスロットとＥＣＣＡスロットはそれぞれ、第１のＣＣＡスロットと第２のＣＣＡスロットと規定されてもよい。図６および図７において、初期ＣＣＡスロットとＥＣＣＡスロットを区別して記載しているが、共通のＣＣＡスロットの定義（例えばスロット長）を用いて規定されてもよい。すなわち、初期ＣＣＡスロットとＥＣＣＡスロットは区別されなくてもよい。つまり、初期ＣＣＡスロットとＥＣＣＡスロットは、同じスロット長であってもよい。例えば、初期ＣＣＡスロットとＥＣＣＡスロットは、共に９マイクロ秒であってもよい。また、初期ＣＣＡスロットとＥＣＣＡスロットは、異なるスロット長であってもよい。例えば、初期ＣＣＡスロットは９マイクロ秒であり、ＥＣＣＡスロットは１６マイクロ秒であってもよい。また、初期ＣＣＡスロットとＥＣＣＡスロットは、複数のＣＣＡスロットによって規定されてもよい。例えば、１つのＣＣＡスロットは９マイクロ秒であり、初期ＣＣＡスロットは１ＣＣＡスロット（すなわち、９マイクロ秒）、ＥＣＣＡスロットは２ＣＣＡスロット（すなわち、１６マイクロ秒）であってもよい
。
【０１０２】
なお、図６、図７において、初期ＣＣＡスロットとＥＣＣＡスロットのスロット長（スロット時間）は個別に規定されてもよい。例えば、図６、図７における初期ＣＣＡスロットのスロット長（スロット時間）はｘマイクロ秒、ＥＣＣＡスロットのスロット長（スロット時間）はｙマイクロ秒であってもよい。ｘとｙは独立に（または個別に）決定（設定）されてもよい。
【０１０３】
なお、初期ＣＣＡデファ期間とＥＣＣＡデファ期間はそれぞれ、第１のＣＣＡデファ期間と第２のＣＣＡデファ期間と規定されてもよい。また、図７において、初期ＣＣＡデファ期間とＥＣＣＡデファ期間は区別されているが、初期ＣＣＡデファ期間とＥＣＣＡデファ期間は区別されなくてもよい。すなわち、初期ＣＣＡデファ期間とＥＣＣＡデファ期間は共にＣＣＡデファ期間と規定されてもよい。
【０１０４】
説明のため初期ＣＣＡデファ期間とＥＣＣＡデファ期間を共にＣＣＡデファ期間と称するが、ＣＣＡデファ期間は初期ＣＣＡデファ期間および／またはＥＣＣＡデファ期間の何れにも置き換えることができる。例えば、ＣＣＡデファ期間は所定の（事前に定義されている）期間であってもよい。例えば、ＣＣＡデファ期間は３４マイクロ秒であってもよい。例えば、ＣＣＡデファ期間は１６マイクロ秒とそれに続くｎ（ｎは正の整数値）の連続するＣＣＡスロットから構成される期間を含んでもよい。換言すると、ＣＣＡデファ期間は１６マイクロ秒にＣＣＡスロットのスロット長のｎ倍を足した期間を含んでもよい。すなわち、ＣＣＡデファ期間は、（１６マイクロ秒＋（ＣＣＡスロットのスロット長×ｎ））であってもよい。なお、ＣＣＡデファ期間に含まれるＣＣＡスロットは９マイクロ秒であってもよい。なお、正の整数値ｎはＬＢＴのクラス（ＬＢＴの優先度、LBT priority class）またはＱｏＳクラスに基づいて決定（設定）されることが好ましい。なお、ＬＢＴのクラスとＱｏＳクラスはデータ送信の種類に基づくことが好ましい。例えば、送信するデータが通話データ（VoIPに関連するパケット）であるか否かに基づいてＬＢＴのクラスまたはＱｏＳクラスが異なることが好ましい。なお、ＬＢＴのクラスおよび／またはＱｏＳクラスは予めテーブルで管理され、テーブルにはクラス毎に、コンテンションウインドウサイズの最大値、コンテンションウインドウサイズの最小値、と、正の整数値ｎが紐付けられていることが好ましい。
【０１０５】
なお、図７において、初期ＣＣＡデファ期間とＥＣＣＡデファ期間は個別に規定されてもよい。例えば、図７における初期ＣＣＡデファ期間はｘマイクロ秒、ＥＣＣＡデファ期間はｙマイクロ秒であってもよい。ｘとｙは独立に決定（設定）されてもよい。
【０１０６】
なお、図６、図７を用いて下りリンク送信におけるＬＢＴの手順を説明したが、当然このＬＢＴの手順は下りリンク送信以外にも適用可能である。例えば、図６、図７のＬＢＴの手順は上りリンク送信やサイドリンク送信（つまり、端末装置からの送信）にも適用可能である。
【０１０７】
コンテンションウィンドウ（衝突窓、CW、図７におけるＮ）およびコンテンションウインドウサイズ（CWS、図７におけるｑ）の詳細について説明する。図７を例に説明すると
、チャネルがビジーであったと判断した場合（Ｓ７０３１：ＮＯ）や、下りリンク送信後に他の下りリンク送信が必要な情報がまだ存在（残留）している場合（Ｓ７０６：ＹＥＳ）には、ＣＣＡデファ期間だけ、下りリンク送信を待機し、さらにコンテンションウィンドウとして規定されたスロット数（つまり、乱数カウンタに基づくスロット数）だけ送信を待機する。そして、待機するコンテンションウィンドウのスロット数はコンテンションウインドウサイズを上限として、ランダムに選択される。なお、コンテンションウインドウサイズｑはコンテンションウインドウサイズの最小値（図７のＳ７０７７におけるＸ）
とコンテンションウインドウサイズの最大値（図７のＳ７０７７におけるＹ）の間から更新される（選ばれる、決定される、設定される）ことが好ましい。つまり、コンテンションウインドウサイズｑは、乱数カウンタの値の上限値を決定するために用いられる。
【０１０８】
コンテンションウインドウサイズの決定方法の例を説明する。
【０１０９】
コンテンションウインドウサイズｑは、その基地局装置が送信したＰＤＳＣＨに対するＨＡＲＱ−ＡＣＫ／ＮＡＣＫ応答の受信（例えば、再送の数）や、その基地局装置のチャネルの感知（センシング）の結果、端末装置や隣接基地局装置などから報告されるＲＲＭ測定（Radio Resource Management measurement）結果（例えば、ＲＳＲＰ、ＲＳＲＱ、
および／またはＲＳＳＩの測定結果）、などに基づいて決定されることが好ましい。なお、その基地局装置のチャネルの感知（センシング）の結果に基づくとは、その基地局装置のチャネルの感知によって得られる電力値に基づくことであることが好ましい。なお、その基地局装置のチャネルの感知（センシング）の結果に基づくとは、該感知したチャネルがビジーか否か（アイドルか）を判断することに基づくことと同義であることが好ましい。なお、コンテンションウインドウサイズの決定に関連するＲＲＭ測定は、ＤＳに基づくＲＲＭ測定であることが好ましく、ＤＳに基づくＲＳＲＰ、ＤＳに基づくＲＳＲＱ、および／またはＤＳに基づくＲＳＳＩであることが好ましい。なお、コンテンションウインドウサイズの決定に関連するＲＲＭ測定結果は、ＲＳＳＩのヒストグラムを含むことが好ましい。例えば、報告されるＲＲＭ測定結果は、端末装置周辺の隠れ端末を検出するために用いられる測定結果であることが好ましい。
【０１１０】
換言すると、コンテンションウインドウサイズｑは、その基地局装置が送信したＰＤＳＣＨに対するＨＡＲＱ−ＡＣＫ／ＮＡＣＫ応答が検出されること、および／または、その基地局装置のチャネルの感知の結果、に基づいて更新（適合、適応、決定、設定、または、選択）されることが好ましい。
【０１１１】
ＨＡＲＱ−ＡＣＫ／ＮＡＣＫ応答の検出（ＨＡＲＱ−ＡＣＫ／ＮＡＣＫフィードバック）に基づくコンテンションウインドウサイズの更新方法の一例を示す。
【０１１２】
例えば、コンテンションウインドウサイズの更新のために考慮されるＨＡＲＱ−ＡＣＫフィードバックの値がＮＡＣＫであった場合に、コンテンションウインドウサイズが増加される。それ以外の場合、コンテンションウインドウサイズが最小値にリセットされる。すなわち、コンテンションウインドウサイズの更新のために考慮されるＨＡＲＱ−ＡＣＫフィードバックの値がＡＣＫであった場合に、コンテンションウインドウサイズが最小値にリセットされる。なお、コンテンションウインドウサイズの更新のために考慮されるＨＡＲＱ−ＡＣＫフィードバックの値は、シングルサブフレームに対応するＨＡＲＱ−ＡＣＫフィードバックの値であることが好ましい。ここで、シングルサブフレームとは、最近のダウンリンクサブフレームもしくは最近のダウンリンク送信バーストの最初のサブフレーム（ｆｉｒｓｔサブフレーム）であることが好ましい。
【０１１３】
なお、シングルサブフレームにおいて複数のＰＤＳＣＨが送信された場合は、送信された複数のＰＤＳＣＨに対応する複数ＨＡＲＱ−ＡＣＫフィードバックの値が全てＮＡＣＫであった場合に、コンテンションウインドウサイズが増加されてもよい。すなわち、送信された複数のＰＤＳＣＨに対応する複数ＨＡＲＱ−ＡＣＫフィードバックの値のうち少なくとも１つがＡＣＫであった場合に、コンテンションウインドウサイズが増加されなくてもよい。
【０１１４】
なお、シングルサブフレームにおいて複数のＰＤＳＣＨが送信された場合は、送信された複数のＰＤＳＣＨに対応する複数ＨＡＲＱ−ＡＣＫフィードバックの値のうち少なくと
も１つがＮＡＣＫであった場合に、コンテンションウインドウサイズが増加されてもよい。すなわち、送信された複数のＰＤＳＣＨに対応する複数ＨＡＲＱ−ＡＣＫフィードバックの値が全てＡＣＫであった場合に、コンテンションウインドウサイズが増加されなくてもよい。
【０１１５】
例えば、観測ウインドウにおいて観測されるＨＡＲＱ−ＡＣＫフィードバックの値のうちＺ％がＡＣＫであった場合に、コンテンションウインドウサイズが増加される。それ以外の場合、コンテンションウインドウサイズが最小値にリセットされる。すなわち、事前に定義されているウインドウにおいて観測されるＨＡＲＱ−ＡＣＫフィードバックの値のうち（１００−Ｚ）％がＮＡＣＫであった場合に、コンテンションウインドウサイズが最小値にリセットされる。
【０１１６】
その基地局装置のチャネルの感知（センシング）の結果に基づくコンテンションウインドウサイズの更新方法の一例を示す。
【０１１７】
観測ウインドウにおけるビジースロットおよび／またはアイドルスロットの観測に基づいてコンテンションウインドウサイズが更新（適合、適応、決定、設定、または、選択）されることが好ましい。
【０１１８】
チャネルの感知（センシング）のための計量（Ｍｅｔｒｉｃ）について説明する。換言すると、チャネルの感知（センシング）のための計量（Ｍｅｔｒｉｃ）は、観測ウインドウにおけるビジースロットおよび／またはアイドルスロットの観測のための計量（Ｍｅｔｒｉｃ）である。
【０１１９】
チャネルの感知（センシング）のための計量（Ｍｅｔｒｉｃ）の一例を示す。計量は、ビジーの期間の数であることが好ましい。なお、ビジーの期間の数とは、観測ウインドウにおいてビジーを観測したスロットの数であってもよい。なお、ビジーの期間の数とは、観測ウインドウにおいてビジーが観測された時間の合計あってもよい。
【０１２０】
チャネルの感知（センシング）のための計量（Ｍｅｔｒｉｃ）の一例を示す。計量は、（ビジーの期間の数）／（ＣＣＡスロットの数）であることが好ましい。なお、ビジーの期間の数とは、観測ウインドウにおいてビジーを観測したスロットの数であってもよい。なお、ビジーの期間の数とは、観測ウインドウにおいてビジーが観測された時間の合計あってもよい。なお、ＣＣＡスロットの数とは、観測ウインドウにおけるＣＣＡスロットの数であってもよい。なお、ＣＣＡスロットの数とは、観測ウインドウにおけるＣＣＡスロットの合計の時間であってもよい。
【０１２１】
チャネルの感知（センシング）のための計量（Ｍｅｔｒｉｃ）の一例を示す。計量は、ビジーのスロットの数であることが好ましい。なお、ビジーのスロットの数は、観測ウインドウにおいてビジーを観測したスロットの数であってもよい。
【０１２２】
チャネルの感知（センシング）のための計量（Ｍｅｔｒｉｃ）の一例を示す。計量は、（ビジーのスロットの数）／（ＣＣＡスロットの数）であることが好ましい。なお、ビジーのスロットの数は、観測ウインドウにおいてビジーを観測したスロットの数であってもよい。なお、ＣＣＡスロットの数とは、観測ウインドウにおけるＣＣＡスロットの数であってもよい。
【０１２３】
なお、ＩＣＣＡスロットおよび／またはＩＣＣＡデファ期間においてビジーを観測した場合は、計量（Ｍｅｔｒｉｃ）のための「ビジーの期間の数」にＩＣＣＡスロットおよび／またはＩＣＣＡデファ期間において観測されたビジーに基づく要素（要因）を加えても
よい。例えば、計量（Ｍｅｔｒｉｃ）のための「ビジーの期間の数」にＩＣＣＡスロットおよび／またはＩＣＣＡデファ期間において観測されたビジーのスロット数またはＩＣＣＡスロットおよび／またはＩＣＣＡデファ期間においてビジーが観測された時間の合計を加えてもよい。例えば、計量は、（ビジーの期間の数＋ＩＣＣＡスロットおよび／またはＩＣＣＡデファ期間において観測されたビジーの期間の数）／（ＣＣＡスロットの数＋ＩＣＣＡスロットの数）とされてもよい。例えば、計量は、（ＥＣＣＡスロットおよび／またはＥＣＣＡデファ期間において観測されたビジーの期間の数＋ＩＣＣＡスロットおよび／またはＩＣＣＡデファ期間において観測されたビジーの期間の数）／（ＥＣＣＡスロットの数＋ＩＣＣＡスロットの数）とされてもよい。
【０１２４】
コンテンションウインドウサイズの更新（適合、適応、決定、設定、または、選択）のためのルールについて説明する。
【０１２５】
コンテンションウインドウサイズの適合のためのルールの一例を示す。計量（Ｍｅｔｒｉｃ）が閾値より大きい場合に、コンテンションウインドウサイズが増加される。それ以外の場合、すなわち、計量（Ｍｅｔｒｉｃ）が閾値より小さい場合に、コンテンションウインドウサイズが減少される、または、コンテンションウインドウサイズが最小値にリセットされる。
【０１２６】
コンテンションウインドウサイズの適合のためのルールの一例を示す。計量（Ｍｅｔｒｉｃ）が閾値より大きい場合に、コンテンションウインドウサイズが最大値に設定される。それ以外の場合、すなわち、計量（Ｍｅｔｒｉｃ）が閾値より小さい場合に、コンテンションウインドウサイズが最小値にリセットされる。
【０１２７】
コンテンションウインドウサイズｑは、１つ以上の要因（または要素）に基づいて決定されてもよい。例えば、コンテンションウインドウサイズｑは、第１の要因（または要素）に基づくコンテンションウインドウサイズｑ１から第ｘ（ｘは整数）の要因（または要素）に基づくコンテンションウインドウサイズｑｘから所定のルール（方法、法則）に基づいて、決定されてもよい。
【０１２８】
なお、１つ以上の要因（または要素）は、その基地局装置が送信したＰＤＳＣＨに対するＨＡＲＱ−ＡＣＫ／ＮＡＣＫ応答の検出（ＨＡＲＱ−ＡＣＫ／ＮＡＣＫフィードバック）に関連する要因（または要素）、その基地局装置のチャネルの感知（センシング）の結果に関連する要因（または要素）、および／または、ＲＲＭ測定結果に関連する要因（または要素）を含むことが好ましい。
【０１２９】
例えば、コンテンションウインドウサイズｑは、第１の要因（または要素）に基づくコンテンションウインドウサイズｑ１と第２の要因（または要素）に基づくコンテンションウインドウサイズｑ２と、…、第ｘの要因（または要素）に基づくコンテンションウインドウサイズｑｘを比較し、最大の（もしくは最小の）コンテンションウインドウサイズを用いることが好ましい。換言すると、コンテンションウインドウサイズｑは、ｍａｘ（ｑ１，ｑ２，…，ｑｘ）とすることが好ましい。なお、ｍａｘ（  ）は括弧内に入力された値のうち最大の値を返す関数である。もしくは、コンテンションウインドウサイズｑは、ｍｉｎ（ｑ１，ｑ２，…，ｑｘ）とすることが好ましい。なお、ｍｉｎ（  ）は括弧内に入力された値のうち最小の値を返す関数である。具体的には、コンテンションウインドウサイズｑは、ｍａｘ（その基地局装置が送信したＰＤＳＣＨに対するＨＡＲＱ−ＡＣＫ／ＮＡＣＫ応答に基づくコンテンションウインドウサイズｑ１，その基地局装置のチャネルの感知の結果に基づくコンテンションウインドウサイズｑ２）によって決定されることが好ましい。具体的には、コンテンションウインドウサイズｑは、ｍｉｎ（その基地局装置が送信したＰＤＳＣＨに対するＨＡＲＱ−ＡＣＫ／ＮＡＣＫ応答に基づくコンテンション
ウインドウサイズｑ１，その基地局装置のチャネルの感知の結果に基づくコンテンションウインドウサイズｑ２）によって決定されることが好ましい。
【０１３０】
また、例えば、コンテンションウインドウサイズｑは、第１の要因（または要素）に基づくコンテンションウインドウサイズｑ１と第２の要因（または要素）に基づくコンテンションウインドウサイズｑ２と、…、第ｘの要因（または要素）に基づくコンテンションウインドウサイズｑｘの和であってもよい。換言すると、コンテンションウインドウサイズｑは、ｓｕｍ（ｑ１，ｑ２，…，ｑｘ）とすることが好ましい。なお、ｓｕｍ（  ）は括弧内に入力された値の和を返す関数である。具体的には、コンテンションウインドウサイズｑは、ｓｕｍ（その基地局装置が送信したＰＤＳＣＨに対するＨＡＲＱ−ＡＣＫ／ＮＡＣＫ応答に基づくコンテンションウインドウサイズｑ１，その基地局装置のチャネルの感知の結果に基づくコンテンションウインドウサイズｑ２）によって決定されることが好ましい。
【０１３１】
例えば、コンテンションウインドウサイズｑは、第１の要因（または要素）に基づくコンテンションウインドウサイズｑ１と第２の要因（または要素）に基づくコンテンションウインドウサイズｑ２と、…、第ｘの要因（または要素）に基づくコンテンションウインドウサイズｑｘの積であってもよい。換言すると、コンテンションウインドウサイズｑは、ｐｒｏｄｕｃｔ（ｑ１，ｑ２，…，ｑｘ）とすることが好ましい。なお、ｐｒｏｄｕｃｔ（  ）は括弧内に入力された値の積を返す関数である。具体的には、コンテンションウインドウサイズｑは、ｐｒｏｄｕｃｔ（その基地局装置が送信したＰＤＳＣＨに対するＨＡＲＱ−ＡＣＫ／ＮＡＣＫ応答に基づくコンテンションウインドウサイズｑ１，その基地局装置のチャネルの感知の結果に基づくコンテンションウインドウサイズｑ２）によって決定されることが好ましい。
【０１３２】
コンテンションウインドウサイズｑは、基本的に第１の要因（または要素）に基づいて決定し、第２要因（または要素）（特定の状態、特定の状況、特定の要因（または要素））が観測された場合に第２の要因（または要素）に基づいて決定されてもよい。なお、第２の要因（または要素）が観測される観測期間は所定の観測期間であってもよい。例えば、第２の要因（または要素）が観測される観測期間（観測ウィンドウ）は初期ＣＣＡデファ期間および／またはＥＣＣＡデファ期間であってもよい。なお、第２の要因（または要素）が同じＬＡＡのシステムによるものだと判断された場合には、第２の要因（または要素）を無視してもよい。換言すると、第２の要因（または要素）が同じＬＡＡのシステムによるものだと判断された場合には、第１の要因（または要素）に基づいてコンテンションウインドウサイズを決定することが好ましい。換言すると、第２の要因（または要素）が同じＬＡＡのシステムとは異なるシステム（例えば、無線ＬＡＮ、wifi）によるものだと判断された場合には、第２の要因（または要素）に基づいてコンテンションウインドウサイズを決定することが好ましい。なお、第１の要因（または要素）は事前に定義されている観測期間（観測ウィンドウ）で観測されることが好ましい。なお、第１の要因（または要素）を観測するための観測ウインドウと第２の要因（または要素）を観測するための観測ウインドウは同じであってもよいし異なってもよい。
【０１３３】
なお、第１の要因（または要素）に基づくコンテンションウインドウサイズを第１のコンテンションウインドウサイズ、第２の要因（または要素）に基づくコンテンションウインドウサイズを第２のコンテンションウインドウサイズ、第ｘの要因（または要素）に基づくコンテンションウインドウサイズを第ｘのコンテンションウインドウサイズと称してもよい。なお、第１の要因（または要素）を観測するための観測ウインドウを第１の観測ウインドウ、第２の要因（または要素）を観測するための観測ウインドウを第２の観測ウインドウと称してもよい。
【０１３４】
例えば、コンテンションウインドウサイズｑは、基本的にその基地局装置が送信したＰＤＳＣＨに対するＨＡＲＱ−ＡＣＫ／ＮＡＣＫ応答に基づいて決定されるが、その基地局装置のチャネルの感知の結果、所定の電力（例えば、所定の閾値を超える電力）もしくはチャネルのビジーが感知された場合、その基地局装置のチャネルの感知の結果に基づくコンテンションウインドウサイズが用いられることが好ましい。換言すると、コンテンションウインドウサイズｑは、基本的にその基地局装置が送信したＰＤＳＣＨに対するＨＡＲＱ−ＡＣＫ／ＮＡＣＫ応答に基づいて決定されるが、その基地局装置のチャネルの感知の結果、所定の電力（例えば、所定の閾値を超える電力）もしくはチャネルのビジーが感知された場合、ＨＡＲＱ−ＡＣＫ／ＮＡＣＫ応答に基づかないコンテンションウインドウサイズが用いられることが好ましい。また、コンテンションウインドウサイズｑは、基本的にその基地局装置が送信したＰＤＳＣＨに対するＨＡＲＱ−ＡＣＫ／ＮＡＣＫ応答に基づいて決定されるが、その基地局装置のチャネルの感知の結果、所定の電力（例えば、所定の閾値を超える電力）もしくはチャネルのビジーが感知された場合、コンテンションウインドウサイズの最大値がコンテンションウインドウサイズとして用いられることが好ましい。なお、コンテンションウインドウサイズの決定に関連するＨＡＲＱ−ＡＣＫ／ＮＡＣＫ応答を観測するウインドウとコンテンションウインドウサイズの決定に関連するチャネル感知のためのウインドウは同じであってもよいし異なってもよい。
【０１３５】
例えば、コンテンションウインドウサイズｑは、基本的にその基地局装置が送信したＰＤＳＣＨに対するＨＡＲＱ−ＡＣＫ／ＮＡＣＫ応答に基づいて決定されるが、初期ＣＣＡデファ期間および／またはＥＣＣＡデファ期間におけるチャネルの感知の結果、所定の電力（例えば、所定の閾値を超える電力）もしくはチャネルのビジーが感知された場合、チャネルの感知の結果に基づくコンテンションウインドウサイズが用いられることが好ましい。換言すると、コンテンションウインドウサイズｑは、基本的にその基地局装置が送信したＰＤＳＣＨに対するＨＡＲＱ−ＡＣＫ／ＮＡＣＫ応答に基づいて決定されるが、初期ＣＣＡデファ期間および／またはＥＣＣＡデファ期間におけるチャネルの感知の結果、所定の電力（例えば、所定の閾値を超える電力）もしくはチャネルのビジーが感知された場合、ＨＡＲＱ−ＡＣＫ／ＮＡＣＫ応答に基づかないコンテンションウインドウサイズが用いられることが好ましい。また、コンテンションウインドウサイズｑは、基本的にその基地局装置が送信したＰＤＳＣＨに対するＨＡＲＱ−ＡＣＫ／ＮＡＣＫ応答に基づいて決定されるが、初期ＣＣＡデファ期間および／またはＥＣＣＡデファ期間におけるチャネルの感知の結果、所定の電力（例えば、所定の閾値を超える電力）もしくはチャネルのビジーが感知された場合、コンテンションウインドウサイズの最大値がコンテンションウインドウサイズとして用いられることが好ましい。
【０１３６】
なお、チャネルの感知の結果、検知された電力もしくはビジーの原因が同じＬＡＡのシステムによるものだと判断された場合には、検知された電力もしくはビジーを無視してもよい。換言すると、チャネルの感知の結果、検知された電力もしくはビジーの原因が同じＬＡＡのシステムによるものだと判断された場合には、ＨＡＲＱ−ＡＣＫ／ＮＡＣＫ応答に基づくコンテンションウインドウサイズが用いられることが好ましい。換言すると、チャネルの感知の結果、検知された電力もしくはビジーの原因が同じＬＡＡのシステムとは異なるシステム（例えば、無線ＬＡＮ、wifi）によるものだと判断された場合には、チャネルの感知の結果に基づくコンテンションウインドウサイズが用いられることが好ましい。
【０１３７】
例えば、コンテンションウインドウサイズｑは、基本的にその基地局装置のチャネルの感知の結果に基づいて決定されるが、その基地局装置が送信したＰＤＳＣＨに対するＨＡＲＱ−ＡＣＫ／ＮＡＣＫ応答を検出した場合、ＨＡＲＱ−ＡＣＫ／ＮＡＣＫ応答に基づくコンテンションウインドウサイズが用いられることが好ましい。換言すると、コンテンションウインドウサイズｑは、基本的にその基地局装置のチャネルの感知の結果に基づいて
決定されるが、その基地局装置が送信したＰＤＳＣＨに対するＨＡＲＱ−ＡＣＫ／ＮＡＣＫ応答を検出した場合、その基地局装置のチャネルの感知の結果に基づかないコンテンションウインドウサイズが用いられることが好ましい。また、コンテンションウインドウサイズｑは、その基地局装置のチャネルの感知の結果に基づいて決定されるが、その基地局装置が送信したＰＤＳＣＨに対するＨＡＲＱ−ＡＣＫ／ＮＡＣＫ応答を検出した場合、コンテンションウインドウサイズの最大値がコンテンションウインドウサイズとして用いられることが好ましい。
【０１３８】
なお、初期ＣＣＡの結果、ビジーと判断された場合、コンテンションウインドウサイズは所定のコンテンションウインドウサイズとなることが好ましい。例えば、初期ＣＣＡの結果、ビジーと判断された場合、コンテンションウインドウサイズとして最大のコンテンションウインドウサイズが選択（適用）されることが好ましい。例えば、初期ＣＣＡの結果、ビジーと判断された場合、コンテンションウインドウサイズとして最小のコンテンションウインドウサイズが選択（適用）されることが好ましい。
【０１３９】
なお、コンテンションウインドウサイズの決定に関連する要因（または要素）は所定の観測期間（観測ウインドウ、観測時間、観測スロット、期間、ウインドウ、時間、または、スロット）において観測されることが好ましい。例えば、所定の観測期間において観測される要因の発生回数に基づいてコンテンションウインドウサイズが決定されることが好ましい。例えば、所定の観測期間において観測されるＨＡＲＱ−ＡＣＫの発生回数に基づいてコンテンションウインドウサイズが決定されることが好ましい。
【０１４０】
なお、観測期間とは、その基地局装置からの２つのＰＤＳＣＨ送信の間の時間であってもよい。なお、観測期間とは、初期ＣＣＡおよび／またはＥＣＣＡにおける何れの期間（時間）であることが好ましい。なお、観測期間とは、初期ＣＣＡおよび／またはＥＣＣＡにおけるＣＣＡスロットであってもよい。なお、観測期間とは、初期ＣＣＡデファ期間および／またはＥＣＣＡデファ期間であってもよい。なお、観測期間とは、初期ＣＣＡデファ期間および／またはＥＣＣＡデファ期間におけるＣＣＡスロットであってもよい。なお、観測期間とは、カウンタ値が満了してからデータを送信し新しいコンテンションウインドウサイズを導出するまでの時間であってもよい。なお、観測期間とは、カウンタ値が零になってから新しいコンテンションウインドウサイズを導出するまでの時間であってもよい。なお、観測期間とは、ＥＣＣＡにおける何れの期間（時間）であることが好ましい。なお、観測期間とは、図７に示される何れの処理における期間（時間）であることが好ましい。
【０１４１】
なお、コンテンションウインドウサイズの決定に関連する要因（または要素）の観測期間は共通に設定されてもよい。例えば、コンテンションウインドウサイズの決定に関連する第１の要因（または要素）のための第１の観測期間と、コンテンションウインドウサイズの決定に関連する第２の要因（または要素）のための第２の観測期間は同じでも良い。例えば、コンテンションウインドウサイズの決定に関連するＨＡＲＱ−ＡＣＫ／ＮＡＣＫ応答のための第１の観測期間と、コンテンションウインドウサイズの決定に関連するチャネルの感知のための第２の観測期間は同じでも良い。すなわち、共通に設定されてもよい。
【０１４２】
なお、コンテンションウインドウサイズの決定に関連する要因（または要素）の観測期間は要因（または要素）ごとにそれぞれ独立に設定されてもよい。例えば、コンテンションウインドウサイズの決定に関連する第１の要因（または要素）のための第１の観測期間と、コンテンションウインドウサイズの決定に関連する第２の要因（または要素）のための第２の観測期間は異なっても良い。例えば、コンテンションウインドウサイズの決定に関連するＨＡＲＱ−ＡＣＫ／ＮＡＣＫ応答のための第１の観測期間と、コンテンションウ
インドウサイズの決定に関連するチャネルの感知のための第２の観測期間は異なっても良い。すなわち、独立に設定されてもよい。
【０１４３】
コンテンションウインドウサイズｑは動的または準静的に更新されることが好ましい。換言すると、コンテンションウインドウサイズｑはコンテンションウインドウサイズの最小値（図７のＳ７０７７におけるＸ）とコンテンションウインドウサイズの最大値（図７のＳ７０７７におけるＹ）の間から動的または準静的に選択（更新）されることが好ましい。
【０１４４】
コンテンションウインドウサイズｑは周期的に更新されることが好ましい。具体的には、所定の周期で、コンテンションウインドウサイズｑはコンテンションウインドウサイズの最小値とコンテンションウインドウサイズの最大値の間から選択（更新）されることが好ましい。なお、コンテンションウインドウサイズ更新のための周期は上位層（基地局装置の上層部、または、基地局装置を制御する上層部）によって設定されることが好ましい。なお、コンテンションウインドウサイズ更新のための周期は事前に定義された（predefineされた）周期であることが好ましい。
【０１４５】
コンテンションウインドウサイズｑはその基地局装置のチャネルの感知の結果に基づいて更新されることが好ましい。その基地局装置のチャネルの感知の結果、所定の電力（例えば、所定の閾値を超える電力）もしくはチャネルのビジーが感知された場合、コンテンションウインドウサイズが更新されることが好ましい。
【０１４６】
コンテンションウインドウサイズｑは上位層からの指示に基づいて更新されることが好ましい。具体的には、コンテンションウインドウサイズｑは上位層からの指示に基づいて、コンテンションウインドウサイズの最小値とコンテンションウインドウサイズの最大値の間から選択（更新）されることが好ましい。なお、上位層からの指示とはＬＢＴのクラス（ＬＢＴの優先度、LBT priority class）またはＱｏＳクラスの通知であることが好ましい。なお、ＬＢＴのクラスとＱｏＳクラスはデータ送信の種類に基づくことが好ましい。例えば、送信するデータが通話データ（VoIPに関連するパケット）であるか否かに基づいてＬＢＴのクラスまたはＱｏＳクラスが異なることが好ましい。なお、ＬＢＴのクラスおよび／またはＱｏＳクラスは予めテーブルで管理され、テーブルにはクラス毎に、コンテンションウインドウサイズの最大値、コンテンションウインドウサイズの最小値、と、正の整数値ｎが紐付けられていることが好ましい。
【０１４７】
コンテンションウインドウサイズｑは初期ＣＣＡデファ期間および／またはＥＣＣＡデファ期間におけるチャネルの感知の結果に基づいて更新されてもよい。例えば、初期ＣＣＡデファ期間および／またはＥＣＣＡデファ期間において所定の電力（例えば、所定の閾値を超える電力）もしくはチャネルのビジーが感知された場合、コンテンションウインドウサイズは更新されてもよい。
【０１４８】
衝突窓ｑの値は、例えば、その基地局装置が送信するＰＤＳＣＨのＨＡＲＱ−ＡＣＫ／ＮＡＣＫ応答や、その基地局装置のチャネルの感知によって得られる電力値や、ＲＳＲＰ、ＲＳＲＱ、および／またはＲＳＳＩの報告、などに基づいて決定される。衝突窓ｑの値は、一例として、指数的に増加される。また、衝突窓ｑの値を決定する際に用いられる最小値Ｘと最大値Ｙの値は、上位層で設定されるパラメータである。
【０１４９】
なお、図６、図７のＬＢＴの手順において、拡張ＣＣＡを行わなくてもよい。具体的には、初期ＣＣＡ（Ｓ６０３）の結果、チャネルがビジーであったと判断した場合は、拡張ＣＣＡのプロセス（Ｓ６０７）に遷移せず、基地局装置はアイドル状態（Ｓ６０１）に戻ってもよい。また、下りリンク送信を行った後に他の下りリンク送信が必要な情報がまだ
存在している場合（Ｓ６０６）においても、拡張ＣＣＡのプロセス（Ｓ６０７）に遷移せず、基地局装置はアイドル状態（Ｓ６０１）に戻ってもよい。この様なプロセスを行うＬＢＴは、LBT category 2とも呼称される。この様なプロセスを行うＬＢＴは、例えば、ＤＳの送信や、１ｍｓ以下の長さのＰＤＳＣＨ送信、ＰＤＣＣＨのみの送信のためのＬＢＴとして適用されてもよい。
【０１５０】
なお、ＬＡＡセルにおけるＣＣＡは、そのＬＡＡセルに接続している（設定されている）端末が認識する必要はない。
【０１５１】
端末装置１は、ＬＡＡセルにおけるＣＣＡが完了した後からの送信を検出できる場合、最初の送信を検出した後から送信が数サブフレーム連続する、とみなしてよい。送信が連続する数サブフレームを、送信バーストとも呼称される。特に、ＰＤＳＣＨの送信が連続する数サブフレームを、ＰＤＳＣＨ送信バーストと呼称される。ＰＤＳＣＨ送信バーストには、ＰＤＳＣＨ以外のチャネルおよび／または信号を含んでもよい。例えば、ＰＤＳＣＨ送信バーストには、ＰＤＳＣＨとＤＳが含まれて送信されてもよい。また、特に、ＤＳのみが送信される数サブフレームを、ＤＳ送信バーストと呼称される。送信バーストによって連続して送信されるサブフレーム数は、ＲＲＣメッセージによって端末装置１に設定されてもよい。本実施形態では、下りリンク信号またはチャネルの送信バーストを下りリンク送信、上りリンク信号またはチャネルの送信バーストを上りリンク送信、とも称する。
【０１５２】
端末装置は、送信バーストの先頭に含まれる予約信号を検出した場合に、その送信バーストを検知することができる。端末装置は、その予約信号を検出したサブフレームから数サブフレームを送信バーストとみなす。なお、予約信号の代わりに、後述する第１の同期信号、または、第２の同期信号、または、第３の同期信号を検出した場合に、端末装置は、その後の数サブフレームを送信バーストとみなすこともできる。
【０１５３】
また、端末装置は、ＤＣＩに含まれる送信バーストを指定するサブフレームの情報を復号した場合に、送信バーストを検知することができる。そのＤＣＩは、ＣＳＳに配置されたＰＤＣＣＨまたはＥＰＤＣＣＨに含まれて通知される。また、そのＤＣＩはＵＳＳで配置されたＰＤＣＣＨまたはＥＰＤＣＣＨに含まれて通知されてもよい。
【０１５４】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【０１５５】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定される）が、ＬＡＡセルは、第３のフレーム構成タイプ（frame structure type 3）が用いられる（設定される）。尚、ＬＡＡセルは、第１のフレーム構成タイプまたは第２のフレーム構成タイプが用いられてもよい（設定されてもよい）。
【０１５６】
また、第３のフレーム構成タイプは、上りリンクおよび下りリンクが同一周波数で送信可能なＴＤＤセルでありながら、ＦＤＤセルの特徴を有するフレーム構成タイプであることが好ましい。例えば、第３のフレーム構成タイプは、上りリンクサブフレーム、下りリンクサブフレーム、および、スペシャルサブフレームを有しているが、上りリンクグラントを受信してから該上りリンクグラントからスケジュールされるＰＵＳＣＨが送信するまでの間隔、または、ＰＤＳＣＨを受信してから該ＰＤＳＣＨに対するＨＡＲＱフィードバックの間隔は、ＦＤＤセルと同様であってもよい。
【０１５７】
また、第３のフレーム構成タイプは、従来のＴＤＤ  ＵＬ／ＤＬ設定（TDD uplink/downlink configuration）に依存しないフレーム構成タイプであることが好ましい。例えば
、上りリンクサブフレーム、下りリンクサブフレーム、および、スペシャルサブフレームは、無線フレームに対して非周期的に設定されてもよい。例えば、上りリンクサブフレーム、下りリンクサブフレーム、および、スペシャルサブフレームは、ＰＤＣＣＨまたはＥＰＤＣＣＨに基づいて決定されてもよい。
【０１５８】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【０１５９】
ＬＡＡセルは、ＬＴＥにおける無線フレーム、物理信号、および／または物理チャネルなどの構成および通信手順に関して、従来の方式とは異なる方式を用いるセルとすることができる。
【０１６０】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末は全てのサブフレームで送信されていることを想定しない。
（３）ＬＡＡセルでは、端末は、アクティベーション（オン）であるサブフレームにおいて、ＤＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳの
マッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【０１６１】
また、例えば、ＬＡＡセルでは、プライマリセルおよび／またはセカンダリセルで設定（送信）されない所定の信号および／またはチャネルが設定（送信）される。
【０１６２】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【０１６３】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【０１６４】
端末装置は、上位層によるパラメータによって、ＬＡＡセルを認知することができる。例えば、要素キャリアの中心周波数を通知するパラメータから、端末装置は、従来のセル（バンド）またはＬＡＡセル（ＬＡＡバンド）を認知することができる。この場合、中心周波数に関連する情報とセル（バンド）の種類が関連付けている。
【０１６５】
また、例えば、ＬＡＡセルでは、信号および／またはチャネルの想定が、従来のセカンダリセルと異なる。
【０１６６】
まず、従来のセカンダリセルにおける信号および／またはチャネルの想定を説明する。以下の条件の一部または全部を満たす端末は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのセカンダリセルにおいて、ＤＳに基づくＲＲＭ測定が設定される。
（３）そのセカンダリセルはデアクティベーション（非活性化された状態）である。
（４）端末は、そのセカンダリセルにおいて、上位層によってＭＢＭＳを受信することが設定されていない。
【０１６７】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０１６８】
次に、ＬＡＡセルにおける信号および／またはチャネルの想定の一例を説明する。以下
の条件の一部または全部を満たす端末は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのＬＡＡセルにおいて、ＤＳに基づくＲＲＭ測定が設定される。
（３）そのＬＡＡセルはデアクティベーション（非活性化された状態）である。
（４）端末は、そのＬＡＡセルにおいて、上位層によってＭＢＭＳを受信することが設定されていない。
【０１６９】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想定は、従来のセカンダリセルにおける信号および／またはチャネルの想定と異なる。例えば、そのＬＡＡセルがアクティベーション（活性化された状態）である場合、端末は、そのＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０１７０】
また、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０１７１】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。例えば、１つのＩＣＣＡスロット長またはｄｅｆｅｒ期間は、1044*Ts（
約33.98マイクロ秒）、または1045*Ts（約34.02マイクロ秒）である。例えば、１つのＥ
ＣＣＡスロット長は、276*Ts（約8.984マイクロ秒）、または277*Ts（約9.017マイクロ秒）である。例えば、１つのＥＣＣＡスロット長は、307*Ts（約9.993マイクロ秒）、また
は308*Ts（約10.03マイクロ秒）である。
【０１７２】
また、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０１７３】
また、途中のシンボルから送信が可能なサブフレーム（途中のシンボルまで送信が可能
なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０１７４】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０１７５】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０１７６】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０１７７】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０１７８】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであ
ってもよい。
【０１７９】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリセル）に関する設定は、ＬＡＡセルに関する設定を含む。例えば、端末は、従来のプライマリセルに加えて、ＬＡＡセルに関する設定を含まないセカンダリセルが４つまで設定され、従来とは異なるセカンダリセルが１１個または２７個まで設定される。
【０１８０】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０１８１】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０１８２】
次に、ＬＡＡに関連する端末ケイパビリティを説明する。端末は、基地局からの指示に基づいて、ＲＲＣのシグナリングによって、その端末のケイパビリティ（能力）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了しているかどうかを示す情報であってもよい。例えば、本実施形態における端末ケイパビリティは、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設
定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０１８３】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０１８４】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０１８５】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０１８６】
また、本実施形態において、チャネルおよび／または信号が送信されない（送信できない）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０１８７】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０１８８】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信して
いると見なすことができる。
【０１８９】
次に、ＬＡＡセルにおける下りリンクの参照信号の構成の一例を説明する。
【０１９０】
図５は、下りリンクの参照信号の構成の一例を示す図である。一例として、ＣＲＳは、Ｒ０〜Ｒ３のＲＥに配置されることができる。Ｒ０はアンテナポート０のＣＲＳが配置されるＲＥ、Ｒ１はアンテナポート１のＣＲＳが配置されるＲＥ、Ｒ２はアンテナポート２のＣＲＳが配置されるＲＥ、Ｒ３はアンテナポート３のＣＲＳが配置されるＲＥの一例を示す。なお、ＣＲＳは、セル識別子に関連するパラメータによって周波数方向に移って配置されてもよい。具体的には、NcellIDｍｏｄ６の値に基づいて、ＲＥが配置を指定する
インデックスｋを増加させる。ここで、NcellIDは物理セル識別子の値である。ＤＭＲＳ
はＤ１〜Ｄ２のＲＥに配置されることができる。Ｄ１はアンテナポート７、８、１１、１３のＤＭＲＳが配置されるＲＥ、Ｄ２はアンテナポート９、１０、１２、１４のＤＭＲＳが配置されるＲＥの一例を示す。ＣＳＩ−ＲＳは、Ｃ１〜Ｃ４のＲＥに配置されることができる。Ｃ０はアンテナポート１５、１６のＣＳＩ−ＲＳが配置されるＲＥ、Ｃ１はアンテナポート１７、１８のＣＳＩ−ＲＳが配置されるＲＥ、Ｃ２はアンテナポート１９、２０のＣＳＩ−ＲＳが配置されるＲＥ、Ｃ３はアンテナポート２１、２２のＣＳＩ−ＲＳが配置されるＲＥの一例を示す。なお、ＣＳＩ−ＲＳは、スロット０のＯＦＤＭシンボル＃５または＃６と、スロット１のＯＦＤＭシンボル＃１、＃２、または、＃３のＲＥに配置されてもよい。なお、ＣＳＩ−ＲＳは、上位層のパラメータに基づいて、配置されるＲＥが指示される。
【０１９１】
尚、端末装置１に所定のサービングセルに対してＬＡＡの通信に必要な設定（LAA-Config）が１つ以上された場合、所定のサービングセルはＬＡＡセルとみなしてもよい。ＬＡＡの通信に必要な設定は、例えば、予約信号に関するパラメータ、ＲＳＳＩの測定に関するパラメータ、第２のＤＳの設定に関するパラメータ、である。
【０１９２】
尚、端末装置１に所定のサービングセルに対してＬＡＡバンドに対応する中心周波数の情報（ＥＡＲＦＣＮ  ｖａｌｕｅ）が設定された場合、その周波数のセルはＬＡＡセルとみなおしてもよい。ＬＡＡバンド（ＬＡＡのオペレーティングバンド）とは、例えば、バンド番号が２５２〜２５５のいずれかであるバンド、ＴＤＤバンドでもＦＤＤバンドでもないバンド、５ＧＨｚ帯で定義されるバンド、２０ＭＨｚの帯域幅のみで定義されるバンド、の特徴を１つ以上満たすバンドである。
【０１９３】
なお、所定の周波数は、ＬＡＡセルで用いられる周波数であることが好ましい。なお、所定の周波数は、ＬＢＴに基づいてＤＳが送信されるセルの周波数であることが好ましい。なお、所定の周波数は、アンライセンスバンドで運用されるセルの周波数であることが好ましい。なお、所定の周波数は、オペレーティングバンドの所定のインデックスに対応するオペレーティングバンドの周波数であることが好ましい。なお、所定の周波数は、ＬＡＡのオペレーティングバンドのインデックスに対応するオペレーティングバンドの周波数であることが好ましい。なお、上記所定の周波数は、オペレーティングバンド（Ｅ−ＵＴＲＡオペレーティングバンド）の所定のインデックスに対応するオペレーティングバンドであることが好ましい。例えば、オペレーティングバンドはテーブルで管理されることが好ましく、テーブルで管理される各オペレーティングバンドには、対応するインデックスが与えられる。該インデックスには、対応するアップリンクオペレーティングバンドとダウンリンクオペレーティングバンドとデュプレックスモードが紐付けられる。なお、アップリンクオペレーティングバンドは基地局装置における受信および端末装置における送信に使用されるオペレーティングバンドであり、ダウンリンクオペレーティングバンドは基地局装置における送信および端末装置における受信に使用されるオペレーティングバンドである。なお、アップリンクオペレーティングバンドとダウンリンクオペレーティング
バンドは、それぞれ下限の周波数と上限の周波数（対応する周波数帯）で与えられることが好ましい。なお、デュプレックスモードはＴＤＤまたはＦＤＤで与えられることが好ましい。なお、ＬＡＡセルにおけるデュプレックスモードは、ＴＤＤとＦＤＤ以外であってもよい。例えば、ＬＡＡセルにおけるデュプレックスモードは、後述する送信バースト（少なくともダウンリンクバーストを含む、アップリンクバーストを含むか否かは任意）であってもよい。
【０１９４】
例えば、オペレーティングバンドがテーブルで管理される場合、インデックス“１”からインデックス“４４”に対応するオペレーティングバンドはライセンスドバンド（ＬＡＡでないバンド）であることが好ましく、インデックス“２５２”からインデックス“２５５”に対応するオペレーティングバンドはアンライセンスドバンド（ＬＡＡのバンド）であることが好ましい。なお、インデックス“２５２”には、アップリンクオペレーティングバンドが適用されず（n/a, not applicable）、ダウンリンクオペレーティングバン
ドに５１５０ＭＨｚ−５２５０Ｈｚが適用され、デュプレックスモードにＦＤＤが適用されることが好ましい。また、インデックス“２５３”には、アップリンクオペレーティングバンドが予約され（将来使用されるものとして予約され）、ダウンリンクオペレーティングバンドが予約され、デュプレックスモードにＦＤＤが適用されることが好ましい。また、インデックス“２５４”には、アップリンクオペレーティングバンドが予約され（将来使用されるものとして予約され）、ダウンリンクオペレーティングバンドが予約され、デュプレックスモードにＦＤＤが適用されることが好ましい。なお、インデックス“２５５”には、アップリンクオペレーティングバンドが適用されず（n/a, not applicable）
、ダウンリンクオペレーティングバンドに５７２５ＭＨｚ−５８５０Ｈｚが適用され、デュプレックスモードにＦＤＤが適用されることが好ましい。なお、５１５０ＭＨｚ−５２５０Ｈｚと５７２５ＭＨｚ−５８５０Ｈｚはアンライセンスドバンド（ＬＡＡのバンド）であることが好ましい。すなわち、上記所定の周波数は、インデックス“２５２”からインデックス“２５５”に対応するオペレーティングバンドであることが好ましい。
【０１９５】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０１９６】
本発明に関わる基地局装置２および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０１９７】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９８】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは
、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２００】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０２０１】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ
Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０２０２】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０３】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２０４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２０５】
３０１  上位層
３０２  制御部
３０３  コードワード生成部
３０４  下りリンクサブフレーム生成部
３０５  下りリンク参照信号生成部
３０６  ＯＦＤＭ信号送信部
３０７  送信アンテナ
３０８  受信アンテナ
３０９  ＳＣ−ＦＤＭＡ信号受信部
３１０  上りリンクサブフレーム処理部
３１１  上りリンク制御情報抽出部
４０１  受信アンテナ
４０２  ＯＦＤＭ信号受信部
４０３  下りリンクサブフレーム処理部
４０４  下りリンク参照信号抽出部
４０５  トランスポートブロック抽出部
４０６  制御部
４０７  上位層
４０８  チャネル状態測定部
４０９  上りリンクサブフレーム生成部
４１０  上りリンク制御情報生成部
４１１  ＳＣ−ＦＤＭＡ信号送信部
４１２  送信アンテナ
【図１】
2017060092.tif 000003
【図２】
2017060092.tif 000004
【図３】
2017060092.tif 000005
【図４】
2017060092.tif 000006
【図５】
2017060092.tif 000007
【図６】
2017060092.tif 000008
【図７】
2017060092.tif 000009